【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
次式の化合物。
【化１】
2008195940.tif 000001
（式中、各Ａｒは独立に、アルキル、アルコキシ、アルコキシアルキル、アリールオキシ、アリールオキシアルキル、ヒドロキシ、ヒドロキシアルキル、ハロ及びこれらの組合せからなる群から選択される０〜３の置換基を有する芳香族部分を表し；
各Ｌは独立に、炭素−炭素単結合又は連結基を含む連結部分であり；
各Ｙは独立に、−ＯＲ”又は式Ｈ（Ｏ（ＣＲ2）n）yＸ−の部分であり、Ｘは、（ＣＲ'2）z、Ｏ及びＳからなる群から選択され；Ｒ及びＲ'は各々独立に、Ｈ、Ｃ1〜Ｃ6アルキル及びアリールから独立に選択され；Ｒ”はＣ1〜Ｃ100アルキル及びアリールから選択され；ｚは１〜１０であり；ｎは、Ｘが（ＣＲ'2）zであるときは０〜１０であり、ＸがＯ又はＳであるときは２〜１０であり；ｙは１〜３０であり；
各ａは、少なくとも一つのＡｒ部分が少なくとも一つの基Ｙを有することを条件として、独立に０〜３であり；
ｍは１〜１００である。）
【請求項２】
Ｙユニットの約２モル％〜約９８モル％はＨ（Ｏ（ＣＲ2）2）yＯ−で、ｙは１〜６であり、またＹユニットの約９８モル％〜約２モル％は−ＯＲ”である、請求項１に記載の化合物。
【請求項３】
Ａｒはナフタレンであり、Ｙユニットの約４０モル％〜約６０モル％はＨ（Ｏ（ＣＲ2）2）yＯ−であり、Ｙユニットの約６０モル％〜約４０モル％は−ＯＣＨ3であり；ＬはＣＨ2である、請求項２記載の化合物。
【請求項４】
Ｙユニットの約６５モル％〜約７５モル％はＨＯＣＨ2ＣＨ2Ｏ−であり、Ｙユニットの約３５モル％〜約２５モル％は−ＯＣＨ3である、請求項３記載の化合物。
【請求項５】
請求項１に記載の１以上の化合物とアシル化剤との反応生成物。
【請求項６】
前記アシル化剤が、約１００〜約５０００のＭnを有するポリアルケンから誘導されるポリアルキルコハク酸アシル化剤及びポリアルケニルコハク酸アシル化剤から選択される少なくとも一つである、請求項５記載の反応生成物。
【請求項７】
前記アシル化剤が、ヒドロカルビルイソシアナートである、請求項５記載の反応性生物。
【請求項８】
メチレン架橋されたナフトキシエタノール及び２−メトキシナフタレン化合物と、ポリアルキルコハク酸アシル化剤及びポリアルケニルコハク酸アシル化剤から選択されるアシル化剤との混合物の反応生成物。
【請求項９】
次式の化合物。
【化２】
2008195940.tif 000002
（式中、各Ａｒは独立に、アルキル、アルコキシ、アルコキシアルキル、ヒドロキシ、ヒドロキシアルキル、アシルオキシ、アシルオキシアルキル、アシルオキシアルコキシ、アリールオキシ、アリールオキシアルキル、アリールオキシアルコキシ、ハロ及びこれらの組合せからなる群から選択される０〜３の置換基を有する芳香族部分を表し；
各Ｌは独立に、炭素−炭素単結合又は連結基を含む連結部分であり；
各Ｙ’は独立に、式Ｚ'Ｏ−又はＺ（Ｏ（ＣＲ2）n）yＸ−の部分であり、Ｘは（ＣＲ'2）z、Ｏ及びＳからなる群から選択され；Ｒ及びＲ’は各々独立に、Ｈ、Ｃ1〜Ｃ6アルキル及びアリールから選択され；ｚは１〜１０であり；ｎは、Ｘが（ＣＲ'2）zであるときは０〜１０であり、ＸがＯ又はＳであるときは２〜１０であり；ｙは１〜３０であり；ＺはＨ、アシル基、ポリアシル基、ラクトンエステル基、酸エステル基、アルキル基又はアリール基であり；Ｚ’は、Ｃ1〜Ｃ100アルキル及びアリールから選択され；
各ａは独立に０〜３である；但し、少なくとも一つのＡｒ部分は少なくとも一つの基Ｚ（Ｏ（ＣＲ2）n）yＸ−を有し、ＺはＨではなく；また
ｍは１〜１００である。）
【請求項１０】
次式の化合物である、請求項９記載の化合物。
【化３】
2008195940.tif 000003
（式中、１以上のＹ’は、基Ｚ（Ｏ（ＣＲ2）n）yＸ−であり、Ｚは次式IVのラクトンエステル、次式Ｖの酸エステル又はこれらの組合せから誘導される。）；
【化４】
2008195940.tif 000004
（式中、Ｒ1、Ｒ2、Ｒ3、Ｒ4、Ｒ5、Ｒ6及びＲ7は、Ｈ、アルキル、並びに２００以下のＣを含むポリアルキル及びポリアルケニルから独立に選択され；Ｚ”は式VIのビス-アシルである。）；
【化５】
2008195940.tif 000005
（式中、Ｒ8及びＲ9は、Ｈ、アルキル、並びに３００以下のＣを含むポリアルキル及びポリアルケニルから独立に選択され；ｍは０〜１００であり；ｐ及びｓは各々独立に約０〜約２５であり、但し、ｐ≦ｍ；ｓ≦ｍ；かつ ｐ＋ｓ≧１である。）
【請求項１１】
Ｙ’ユニットの約２モル％〜約９８モル％がＺ（Ｏ（ＣＲ2）2）yＯ−で、Ｚはアシル基であり、ｙは１〜６であり、またＹ’ユニットの約９８モル％〜約２モル％が−ＯＲ”である、請求項１０記載の化合物。
【請求項１２】
Ａｒがナフタレンであり、Ｙ’ユニットの約４０モル％〜約６０モル％はＨ（Ｏ（ＣＲ2）2）yＯ−であり、Ｙ’ユニットの約６０モル％〜約４０モル％は−ＯＣＨ3であり；ＬはＣＨ2である、請求項１１記載の化合物。
【請求項１３】
ｍが約２〜約２５であり；ｐが１〜約１０であり；かつ、ｓが１〜約１０である、請求項１２記載の化合物。
【請求項１４】
Ｚが、約１００〜約５０００のＭnを有するポリアルケンから誘導されるポリアルキルコハク酸アシル化剤又はポリアルケニルコハク酸アシル化剤から誘導される、請求項１１記載の化合物。
【請求項１５】
Ｚが、約１００〜約５０００のＭnを有するポリアルケンから誘導されるポリアルキルコハク酸アシル化剤又はポリアルケニルコハク酸アシル化剤から誘導される、請求項１３記載の化合物。
【請求項１６】
Ｚが、ヒドロカルビルイソシアナートから誘導される、請求項１１記載の化合物。
【請求項１７】
Ｚが、ヒドロカルビルイソシアナートから誘導される、請求項１３記載の化合物。
【請求項１８】
多割合の潤滑粘度の油及び少割合の請求項１０記載の化合物を含む潤滑油組成物。
【請求項１９】
窒素含有分散剤をさらに含む、請求項１８記載の潤滑油組成物。
【手続補正２】
【補正対象書類名】明細書
【補正対象項目名】００９２
【補正方法】変更
【補正の内容】
【００９２】
本明細書に記載された全ての特許、論文及び他の文献の開示は、それらの全体を参照により本明細書の一部として取り込まれる。本明細書及び特許請求の範囲に提示されるとおり、複数の特定の成分を含む、これらで構成される、又は本質的にこれらから構成される組成物の記載は、前記複数の特定の成分を混合することによって製造される組成物をも包含するように解釈されるべきである。本発明の原理、好ましい実施態様、及び実施様式を明細書の上記に記載してきた。しかしながら、出願人が提出したものはそれらの発明であり、開示された実施態様は限定ではなく例示とみなされるものであるから、開示された特定の実施態様に限定されるように解釈されるべきではない。当業者によって、本発明の精神を逸脱することなく変更が行われてもよい。
以下に本発明の好ましい態様を示す。
１．次式の化合物。
【化１１】
2008195940.tif 000006
（式中、各Ａｒは独立に、アルキル、アルコキシ、アルコキシアルキル、アリールオキシ、アリールオキシアルキル、ヒドロキシ、ヒドロキシアルキル、ハロ及びこれらの組合せからなる群から選択される０〜３の置換基を有する芳香族部分を表し；
各Ｌは独立に、炭素−炭素単結合又は連結基を含む連結部分であり；
各Ｙは独立に、−ＯＲ”又は式Ｈ（Ｏ（ＣＲ2）n）yＸ−の部分であり、Ｘは、（ＣＲ'2）z、Ｏ及びＳからなる群から選択され；Ｒ及びＲ'は各々独立に、Ｈ、Ｃ1〜Ｃ6アルキル及びアリールから独立に選択され；Ｒ”はＣ1〜Ｃ100アルキル及びアリールから選択され；ｚは１〜１０であり；ｎは、Ｘが（ＣＲ'2）zであるときは０〜１０であり、ＸがＯ又はＳであるときは２〜１０であり；ｙは１〜３０であり；
各ａは、少なくとも一つのＡｒ部分が少なくとも一つの基Ｙを有することを条件として、独立に０〜３であり；
ｍは１〜１００である。）
２．Ｙユニットの約２モル％〜約９８モル％はＨ（Ｏ（ＣＲ2）2）yＯ−で、ｙは１〜６であり、またＹユニットの約９８モル％〜約２モル％は−ＯＲ”である、上記１に記載の化合物。
３．Ａｒはナフタレンであり、Ｙユニットの約４０モル％〜約６０モル％はＨ（Ｏ（ＣＲ2）2）yＯ−であり、Ｙユニットの約６０モル％〜約４０モル％は−ＯＣＨ3であり；ＬはＣＨ2である、上記２記載の化合物。
４．Ｙユニットの約６５モル％〜約７５モル％はＨＯＣＨ2ＣＨ2Ｏ−であり、Ｙユニットの約３５モル％〜約２５モル％は−ＯＣＨ3である、上記３記載の化合物。
５．約６５モル％〜約７５モル％の２−（２−ナフトキシ）−エタノール、及び約３５モル％〜約２５モル％の２−メトキシナフタレンから誘導され、ｍが１〜約２５である、上記４記載の化合物。
６．上記５記載の化合物又は該化合物の混合物を形成するための方法であって、酸の存在下での、ナフチルオキシエタノール及び２−メトキシナフタレンとホルムアルデヒドとの反応を含む、前記方法。
７．ナフトキシエタノールが、塩基触媒の存在下でのヒドロキシ−ナフチレン化合物とエチレンカーボナートとの反応を含む方法の生成物である、上記６記載の方法。
８．前記ホルムアルデヒドが導入される前に、残留塩基が過剰の酸で中和される、上記７記載の方法。
９．前記酸が油溶性スルホン酸及び固体酸触媒から選択される、上記８記載の方法。
１０．上記１に記載の１以上の化合物とアシル化剤との反応生成物。
１１．前記アシル化剤が、約１００〜約５０００のＭnを有するポリアルケンから誘導されるポリアルキルコハク酸アシル化剤及びポリアルケニルコハク酸アシル化剤から選択される少なくとも一つである、上記１０記載の反応生成物。
１２．前記アシル化剤が、ヒドロカルビルイソシアナートである、上記１０記載の反応性生物。
１３．メチレン架橋されたナフトキシエタノール及び２−メトキシナフタレン化合物と、ポリアルキルコハク酸アシル化剤及びポリアルケニルコハク酸アシル化剤から選択されるアシル化剤との混合物の反応生成物。
１４．上記１３に記載の生成物を形成する方法であって、前記メチレン架橋されたナフトキシエタノール及び２−メトキシナフタレン化合物と、前記アシル化剤との混合物を、酸触媒の存在下で反応する前記方法。
１５．前記メチレン架橋されたナフトキシエタノール及び２−メトキシナフタレン化合物が、（ｉ）ヒドロキシナフタレン化合物及びエチレンカーボナートを塩基触媒の存在において反応させて、ナフチルオキシエタノールを形成すること；（ii）前記塩基を過剰の酸で中和して中間体を与えること；及び（iii）該中間体を、残留酸の存在下において、２−メトキシナフタレン及びホルムアルデヒドと反応させることを含む方法の生成物である、上記１４記載の方法。
１６．前記酸が、油溶性の液状酸触媒及び固体酸触媒から選択される、上記１５記載の方法。
１７．前記アシル化剤が、約３００〜約５０００のＭnを有するポリブテンから誘導されるポリブテニルコハク酸アシル化剤である、上記１６記載の方法。
１８．前記ナフチルオキシエタノール及び前記２−メトキシナフタレンのナフチル部分の全モル数に対するコハク酸アシル化部分の全モル数の比率が、約１．１０〜約０．５である、上記１７記載の方法。
１９．次式の化合物。
【化１２】
2008195940.tif 000007
（式中、各Ａｒは独立に、アルキル、アルコキシ、アルコキシアルキル、ヒドロキシ、ヒドロキシアルキル、アシルオキシ、アシルオキシアルキル、アシルオキシアルコキシ、アリールオキシ、アリールオキシアルキル、アリールオキシアルコキシ、ハロ及びこれらの組合せからなる群から選択される０〜３の置換基を有する芳香族部分を表し；
各Ｌは独立に、炭素−炭素単結合又は連結基を含む連結部分であり；
各Ｙ’は独立に、式Ｚ'Ｏ−又はＺ（Ｏ（ＣＲ2）n）yＸ−の部分であり、Ｘは（ＣＲ'2）z、Ｏ及びＳからなる群から選択され；Ｒ及びＲ’は各々独立に、Ｈ、Ｃ1〜Ｃ6アルキル及びアリールから選択され；ｚは１〜１０であり；ｎは、Ｘが（ＣＲ'2）zであるときは０〜１０であり、ＸがＯ又はＳであるときは２〜１０であり；ｙは１〜３０であり；ＺはＨ、アシル基、ポリアシル基、ラクトンエステル基、酸エステル基、アルキル基又はアリール基であり；Ｚ’は、Ｃ1〜Ｃ100アルキル及びアリールから選択され；
各ａは独立に０〜３である；但し、少なくとも一つのＡｒ部分は少なくとも一つの基Ｚ（Ｏ（ＣＲ2）n）yＸ−を有し、ＺはＨではなく；また
ｍは１〜１００である。）
２０．次式の化合物である、上記１９記載の化合物。
【化１３】
2008195940.tif 000008
（式中、１以上のＹ’は、基Ｚ（Ｏ（ＣＲ2）n）yＸ−であり、Ｚは次式IVのラクトンエステル、次式Ｖの酸エステル又はこれらの組合せから誘導される。）；
【化１４】
2008195940.tif 000009
（式中、Ｒ1、Ｒ2、Ｒ3、Ｒ4、Ｒ5、Ｒ6及びＲ7は、Ｈ、アルキル、並びに２００以下のＣを含むポリアルキル及びポリアルケニルから独立に選択され；Ｚ”は式VIのビス-アシルである。）；
【化１５】
2008195940.tif 000010
（式中、Ｒ8及びＲ9は、Ｈ、アルキル、並びに３００以下のＣを含むポリアルキル及びポリアルケニルから独立に選択され；ｍは０〜１００であり；ｐ及びｓは各々独立に約０〜約２５であり、但し、ｐ≦ｍ；ｓ≦ｍ；かつ ｐ＋ｓ≧１である。）
２１．Ｙ’ユニットの約２モル％〜約９８モル％がＺ（Ｏ（ＣＲ2）2）yＯ−で、Ｚはアシル基であり、ｙは１〜６であり、またＹ’ユニットの約９８モル％〜約２モル％が−ＯＲ”である、上記２０記載の化合物。
２２．Ａｒがナフタレンであり、Ｙ’ユニットの約４０モル％〜約６０モル％はＨ（Ｏ（ＣＲ2）2）yＯ−であり、Ｙ’ユニットの約６０モル％〜約４０モル％は−ＯＣＨ3であり；ＬはＣＨ2である、上記２１記載の化合物。
２３．ｍが約２〜約２５であり；ｐが１〜約１０であり；かつ、ｓが１〜約１０である、上記２２記載の化合物。
２４．Ｚが、約１００〜約５０００のＭnを有するポリアルケンから誘導されるポリアルキルコハク酸アシル化剤又はポリアルケニルコハク酸アシル化剤から誘導される、上記２１記載の化合物。
２５．Ｚが、約１００〜約５０００のＭnを有するポリアルケンから誘導されるポリアルキルコハク酸アシル化剤又はポリアルケニルコハク酸アシル化剤から誘導される、上記２３記載の化合物。
２６．Ｚが、ヒドロカルビルイソシアナートから誘導される、上記２１記載の化合物。
２７．Ｚが、ヒドロカルビルイソシアナートから誘導される、上記２３記載の化合物。
２８．多割合の潤滑粘度の油及び少割合の上記２０記載の化合物を含む潤滑油組成物。
２９．窒素含有分散剤をさらに含む、上記２８記載の潤滑油組成物。
３０．前記潤滑油組成物に約０．０３質量％〜約０．１５質量％の窒素及び約０．００５質量％〜１５質量％の前記化合物を与える量の、前記窒素含有分散剤を含む、上記２９記載の潤滑油組成物。
３１．前記窒素含有分散剤が、約９００〜約２５００のＭnを有するポリブテンから誘導される、ポリブテニルポリアルキレンアミンスクシンイミドである、上記２９記載の潤滑油組成物。
３２．清浄剤、耐磨耗剤、酸化防止剤、摩擦改良剤、相溶化剤、及び粘度改良剤からなる群から選択される少なくとも一つの追加の添加剤をさらに含む、上記２９記載の潤滑油組成物。
３３．圧縮点火エンジンを運転する方法であって、上記２８記載の潤滑油組成物で前記エンジンのクランク室を潤滑化させること及び前記エンジンを運転することを含む、前記方法。
３４．前記圧縮点火エンジンに排出ガス再循環システムが設けられる、上記３３記載の方法。